(57)【特許請求の範囲】
【請求項１】
ヨークと背と前身とを縫合わせて構成したワイシャツ本体と、大きさの異なる数種類の襟と、袖と、大きさの異なる数種類のカフスとを予め用意し、その後購入者の体形を採寸し、これに合わせて、ワイシャツ本体の襟繰りの調整と、襟繰りに応じた袖山の調整と、袖寸法の調整を行った後、袖先への購入者にあったカフスの縫合と、ワイシャツ本体への購入者にあった襟の襟付けと、ワイシャツ本体への袖付けとを行うことを特徴とするワイシャツの製造方法。
【請求項２】
袖先の切込みは、袖地を裁断するとき、切込みが形成される部分の両側に折返し地を残し、各折返し地を内側に折り込んで縫合形成することを特徴とする請求項１記載のワイシャツの製造方法。
【発明の詳細な説明】
【０００１】
【産業上の利用分野】
本発明は、ワイシャツの製造方法に関する。
【０００２】
【従来の技術】
ワイシャツの製造方法として、客から注文を受けた後、客の体型をまず採寸し、これに合わせて客が指定した生地を裁断した後縫製して客に提供する方法と、予め首回りと袖の長さを目安として、各種寸法のワイシャツを作て置く方法とがある。
【０００３】
【発明が解決しようとする課題】
しかし、前者では、購入者からの注文の後、客の体型を採寸し、これに合わせて生地を裁断した後縫製するため、注文を受けてから納品するまでに多くの日数を要するの不具合がある。
後者では、予め各種寸法のワイシャツを作成して置くため、納品までに日時を要することはないが、各種寸法のワイシャツを準備して置かなければ成らず、在庫数が増え在庫管理が大変に成るばかりでなく、購入者の体に完全にあったものを提供できないの不具合がある。
本発明はかかる不具合のないワイシャツの製造方法を提供することをその目的とする。
更に、ワイシャツの袖先には、従来、ケンボロと言う当布を備え、既成のワイシャツの袖長さを調整するには、このケンボロを取り除いて袖長さの調整をする必要があった。このため袖長さの調整が面倒であった。
本発明は、かかるケンボロを排除して簡単に袖長さの調節を簡単化したワイシャツの製造方法を提供することをその目的とする。
【０００４】
【課題を解決するための手段】
請求項１記載のワイシャツの製造方法は、ヨークと背と前身とを縫合わせて構成したワイシャツ本体と、大きさの異なる数種類の襟と、袖と、大きさの異なる数種類のカフスとを予め用意し、その後購入者の体形を採寸し、これに合わせて、ワイシャツ本体の襟繰りの調整と、襟繰りに応じた袖山の調整と、袖寸法の調整を行った後、袖先への購入者にあったカフスの縫合と、ワイシャツ本体への購入者にあった襟の襟付けと、ワイシャツ本体への袖付けとを行うことを特徴とする。
【０００５】
請求項２記載のワイシャツの製造方法は、請求項１記載の上衣の製造方法にあって、切込みが形成される部分の両側に折返し地を残し、各折返し地を内側に折り込んで縫合形成することを特徴とする。
【０００６】
【作用】
上述のようにしたワイシャツの製造方法にあっては、購入者の体形を採寸し、購入者の体形に合わせて、ワイシャツ本体の襟繰りの調整と、袖繰りの調整と、袖繰りの調整に応じて袖山の調整を行い、且つ袖寸法の調整を行った後、袖先へに購入者にあったカフスを縫合し、且つ購入者の首回り寸法にあった襟のワイシャツ本体への縫合と、袖付けとを行へば、購入者にあった寸法を備えたワイシャツが完成する。
そして、袖先の切込みは、切込みが形成される部分の両側に残した折返し地を内側に折り込んだ後、これを縫合することで形成する。
【０００７】
【実施例】
本発明によるワイシャツの製造方法を説明する。
ワイシャツＡは、図１に示すごとく、ヨーク２と背３と前身４とを縫合わせたワイシャツ本体１と、該ワイシャツ本体１に、襟５と、袖６と、袖先６ａにカフス７を取付けて構成される。
このワイシャツを得るに当たっては、図２に示すごとく、ワイシャツ本体１の襟繰り１ａを、通常の襟繰り１ａに斜線で示す部分に余分な布残った状態、即ち正規の襟繰１ａに相当する裁断がされていない状態にしておくと共に、袖繰り１ｂも、同様に、通常の袖繰り１ｂに斜線で示す部分に余分な布残った状態、即ち正規の袖繰り１ｂに相当する裁断がされていない状態にしておく。
そして、襟５は、通常最も長めの袖長さに裁断縫製しておく、そして、襟５とカフス７はそれぞれ何種類かの大きさのものを用意しておく。
この状態で、購入者の首回り寸法，バスト，腕長さ，腕回り，肩幅等を計り、これに合わせて襟繰り１ａをその購入者に合った状態に裁断し、且つ袖繰り１ｂも同様にバストに合わせて裁断し、更に袖６の袖山６ａを該袖繰り１ｂに合わせて裁断し、且つ購入者の腕長さの応じて、袖先６ｂを切断する。
その後、購入者の首回り寸法に合った襟５を襟繰り１ａに縫合し、袖６の袖山６ａを袖繰り１ｂに沿って縫合せると共に、袖先６ｂに購入者の腕回り寸法に合ったカフス７を縫合してワイシャツＡを完成させる。
【０００８】
尚、購入者の腕寸法が短く、袖６の袖先６ｂを大きく切詰めた場合、袖先６ｂが多少太くなくことがあるが、これは袖先６ｂに形成されるひだ６ｃ（図１に示す）で調節することが出来る。
尚、ワイシャツ本体１には、打合わせ８、胸ポケット９等の装飾品を予め取付けておくこと申すまでもない。
【０００９】
尚袖６は、図６に示すごとく、裁断した２枚の生地ａ，ｂを縫合して形成する場合と、図７に示すごとく、１枚の生地ｃで形成する場合とがある。
【００１０】
尚、袖先６ｂの切込み６ｆは、袖地を裁断するとき、切込み６ｆが形成される部分の両側に、図６または図７に示すごとく、それぞれ折返し布６ｅを予め残して裁断し、図６並びに図７に鎖線に沿って、各折返し布６ｅを内側に２重に折込み、その周囲に、図１並びに図８に示すごとくミシンを施すことで形成される折返し部分間に形成する。
袖先６ｂの切込み６ｆは、その上端がほぼ肘近傍に来るようにすると共に、洗濯後にカフス７にアイロン掛けをする場合にカフス７を広げるため、または腕まくりをするときにこれをおこ合い易くすること等から、通常１２ｃｍ程度の長さとする。
【００１１】
しかし、従来のケンボロでは、ケンボロをあらかじめ、縫い付けて置く必要があって、購入者の腕寸法が短く、袖６の袖先６ｂを大きく切詰めると、切込み６ｆが短くなり過ぎ、これを予測してケンボロを長めとし、袖６の袖先６ｂを大きく切詰ても良いようにしておくと、切詰目を必要としない場合、切込み６ｆが長すぎて体裁を損なう恐れがある。
これに対し、上述のごとく、折返し布６ｅを予め残して裁断し、各折返し布６ｅを内側に２重に折込み、その周囲に、図１並びに図８に示すごとくミシンを施すことで形成される折返し部分間に形成したものでは、該折返し布６ｅの部分の袖の長さ方向の長さを長めにしておくことで、袖６の袖先６ｂを大きく切詰めても、所定長さの切込み６ｆを形成することができ、袖先６ｂを切詰める必要のないときは、該折返し布６ｅの元側の折返し布６ｅを切除して通常の袖を縫うように縫い合わせることで切込み６ｆが長めとなることもない。
【００１２】
以下本発明による具体的な各部の調整を説明すると、襟繰り１ａの調整は、図３に、実線イまたは鎖線ロで示すごとく、首回り寸法が増す毎に襟繰り１ａを大きくして裁断すれば良い。
袖繰り１ｂは、図３に鎖線ハで示すごとく、または図４に鎖線ニまたはホで示すごとく、バストが小さい購入者に対してはその袖繰り１ｂを大きく、バストが大きい購入者に対してはその袖繰り１ｂを小さくすれば良い。
尚、バストが極端に小さい購入者に対しては、図４に示すごとく、ホに引続く背３と前身４との縫合線ヘを少し内側にずらすことによって調整することも出来る。更に、図５に示すように、ト、チに示すごとく、該袖繰り１ｂの取り方によって、肩幅の調整をすることが同時に出来る。
尚、本製造方法によれば、簡単な調整で、購入者にあったワイシャツを提供出来購入者の注文を受けてから、約１時間後には、購入者に製品を手渡すことができる。
【００１３】
【発明の効果】
本発明によるワイシャツの造方法によれば、購入者の体形に合わせて、ワイシャツ本体の襟繰りの調整と、袖繰りの調整と、袖繰りの調整に応じて袖山の調整を行い、且つ袖寸法の調整を行った後、袖先へのカフスの縫合し、且つ購入者の首寸法にあった襟のワイシャツ本体への縫合と、袖付けとを行へば、購入者にあった寸法を備えたワイシャツを簡単に提供出来、従来のように、購入者からの注文の後、客の体型を採寸し、これに合わせて生地を裁断した後縫製するもののように、注文を受けてから納品するまでに多くの日数を要することもない。
【００１４】
そして、請求項２に記載のように、袖地を裁断するとき、切込みが形成される部分の両側に折返し地を残し、各折返し地を内側に折り込んで縫合形成することで、袖先の切込みの長さを、袖長さの調整の如何に拘らず所望長さにできる。
【図面の簡単な説明】
【図１】本発明の製造方法により得たワイシャツの正面図
【図２】本発明の製造方法を説明する図
【図３】本発明の製造方法によりワイシャツを得る場合の調整を説明する正面から見た図
【図４】本発明の製造方法によりワイシャツを得る場合の調整を説明する背面から見た図
【図５】本発明の製造方法によりワイシャツを得る場合の調整を説明する背面から見た図
【図６】袖地の展開図
【図７】図６の変形例を示す図
【図８】図１のＶＩＩＩ−ＶＩＩＩ  の拡大截断面図
【符号の説明】
１  ワイシャツ              ２  ヨーク              ３  背
４  前身                  ５  襟                  ６  袖
７  カフス              １ａ  襟繰り            １ｂ  袖繰り
【図１】
0003618790.tif 000002
【図２】
0003618790.tif 000003
【図３】
0003618790.tif 000004
【図４】
0003618790.tif 000005
【図５】
0003618790.tif 000006
【図６】
0003618790.tif 000007
【図７】
0003618790.tif 000008
【図８】
0003618790.tif 000009